(57)【要約】      （修正有）【課題】移動及び組立可能なパーティション間仕切り区間を構成し、表面に磁着できる化粧材を持つ長方体板材に連結して、Ｌ字状デスクとコの字箱型の棚をマグネットシートで磁着できるテレワーク用簡易デスク付き囲い仕切りパーティションを提供する。【解決手段】室内の一定の仕切り内で精神的安定感をもたらし、しかも専属的に業務を遂行できる一定の間仕切り空間を持つテレワーク用移動及び組立可能な囲い仕切りパーティション１において、仕切りパーティションは、表面に部分的、又は全面的に磁着できる化粧材を持つ長方体板材２を２〜８枚高さ方向に連結して、くの字状、又はコの字状、又は４〜８角形状の囲い空間体にして、前記囲い空間体内部の壁面に天板と磁着天板保持板と着磁支え具付きデスク部と、棚板と磁着棚板保持具とからなる棚部とを所望位置に着磁できるようになっているテレワーク用簡易デスク付き囲い仕切りパーティションである。【選択図】図１
0003233646.tif 000002
【実用新案登録請求の範囲】
【請求項１】
室内の一定の仕切り内で精神的安定感をもたらし、しかも専属的に業務を遂行できる一定の間仕切り空間を持つテレワーク用移動及び組立可能な囲い仕切りパーティションにおいて、仕切りパーティションは、表面に部分的、又は全面的に磁着できる化粧材を持つ長方体板材２〜８枚高さ方向に連結して、くの字状、及びコの字状、又は４〜８角形状から選ばれた囲い空間体にして、前記囲い空間体内部の壁面に、天板と磁着天板保持板と磁着天板支え具とからなるデスク部と、棚板と磁着棚板保持具とからなる棚部とを所望位置に磁着できるように、着磁化粧板になっていることを特徴とするテレワーク用簡易デスク付き囲い仕切りパーティション。
【請求項２】
仕切りパーティションは、１０〜３０ｍｍ厚さ、４５０〜１２００ｍｍ幅、１４００〜１６００ｍｍ高さの着磁化粧板付き長方体板材であって、組立・解体、しかも移動を容易にできるように、前記長方体板材の高さ方向の両端にそれぞれ取り外し可能な丁番型接合具を１〜３箇所に、また前記長方体板材の幅方向の底部にキャスター１〜３個取り付けて、２〜８枚を丁番型接合具によって連結して、デスク部と棚部とを所望位置に変更できるような０．５〜１．５ｍ２のスペース面積を持つ移動可能な空間部のパーティション囲い仕切りになっていることを特徴とする請求項１に記載のテレワーク用簡易デスク付き囲い仕切りパーティション。
【請求項３】
簡易棚・デスク付き囲い仕切りパーティションからなる着磁化粧板付き長方体板材の空間仕切りは、各仕切りパーティションの接合している丁番型接合具を外したり、折り畳みにして厚さ幅３００ｍｍ以下にして保管収納できるようにして、構成する着磁化粧板付き仕切りパーティションの１〜４枚の片面の５０〜１００％の表面積に、化粧材としてマグネット体を吸着させることができる表装材と、スチール箔と木板とを張った着磁化粧板であり、空間仕切りパーティションの内壁面部には、幅３５０〜４５０ｍｍ、長さ４５０〜１２００ｍｍの長方形状天板と、前記天板を支える２〜３個の幅２００〜３００ｍｍ、長さ４５０〜１２００ｍｍの磁着天板保持板、及び前記磁着性デスク保持板を支える幅２０〜５０ｍｍ、長さ３００〜５００ｍｍの４〜６個の磁着天板支え具とのデスク部を備え、デスク部の上部位置に幅３００〜４５０ｍｍ、長さ４５０〜１２００ｍｍの棚板と前記棚板を保持する磁着シートを持つ幅１００〜３００ｍｍ、長さ４５０〜１２００ｍｍの磁着棚板保持板と幅１００〜３００ｍｍ、長さ３００〜４５０ｍｍの２個の磁着棚板保持板との棚部を取り付けていることを特徴とする請求項１、又は請求項２に記載のテレワーク用簡易デスク付き囲い仕切りパーティション。
【請求項４】
前記着磁化粧板に使用される木質板材は、安定性を保持して軽量化のために、１０〜３０ｍｍ厚さのパーチクルボード、ＭＤＦ，フラッシュボードであって、前記表装材とスチール箔と木質板材とからなる着磁化粧板としてマグネット体を吸着させることができる２０〜３００μｍ厚さの突板、布、紙、又は樹脂フィルムの表装材と、２５〜３００μｍ厚さのスチール箔を張ったものでマグネットシート材料を磁着できる化粧板のサンドイッチ状３〜５層積層体であり、前記３〜５層積層体になった着磁化粧板の表面に描画されていることを特徴とする請求項１〜請求項３のいずれかに記載のテレワーク用簡易デスク付き囲い仕切りパーティション。
【考案の詳細な説明】
【技術分野】
【０００１】本考案は、専属的に業務を遂行できる一定の間仕切り空間を持つテレワーク用移動及び組立可能な囲い仕切りパーティションを構成し、間仕切りのパーティション表面に磁着できる化粧材を持つ長方体板材にして、それらを連結して、磁着可能なＬ字状デスクとコの字箱型の棚とを間仕切りのパーティション表面にマグネットシートで磁着できるテレワーク用簡易デスク付き囲い仕切りパーティションに関する。
【背景技術】
【０００２】独特の香りにより気持ちをリラックスさせて、精神安定効果を有する  屏風、衝立等の自立形間仕切り家具において、上下左右を囲むように設けた枠部の前記左右枠部間に無双窓を設けた自立形間仕切り家具、或いは遮音性を確保し、必要最小限の装置で、内部の熱や空気のよどみ、内外部の汚染空気が流出入する弊害を避け得るパーティションルームを提供されている（特許文献１参照）。【０００３】簡易的に組み立てることが可能であり、かつ、各避難民の居住空間を固定することができる避難所用折り畳み式パーティションとして、折り畳み状態、展開状態、組立状態の３つの態様をとり、組立状態において、床面部と、床面部を取り囲む４つの壁面部とを備え、壁面部で囲まれる空間を避難用の居住空間とし、予め結束バンドを用いて連結される第１境界ラインか、予め連結されない第２境界ラインのいずれかに設定され、折り畳むときは、第１境界ラインを折り畳むことで、全体として扁平な直方体状に折り畳むことができるものが提案されている（特許文献２参照）。【０００４】パネルが嵌め込まれていなくても、移動する際にフレーム体が折れ曲がったり分解することがない移動式パーティションとして、矩形状パネルを囲んで保持するフレーム体と、フレーム体を移動可能にするキャスター部とを備えており、フレーム体は、縦方向に延在する一対の縦フレームと、横方向に延在する一対の横フレームとを備え、縦フレームは、縦方向に沿って内側に向けて開口する表面側及び裏面側に設けられた一対の溝部と、上下部に設けられた内側に向けて開口する切欠き部とを備え、横フレームは、切欠き部に嵌め込まれて各溝部の間に配置されるセンターフレームを備え、パネルは溝部に沿って抜き差し自在とするものが提案されている（特許文献３参照）。【０００５】室内に設置して、リラックス、集中力の増大に役立つ仕切り囲いの部屋を構成しているデスク付き木製パーティションにおいて、移動及び組立可能な囲い仕切りパーティション間仕切り区間を構成し、デスクを取り付けて、表面に磁着できる化粧材を持つ長方体板材に連結した囲い構造物を磁着性木製パーティションものは存在していない。
【先行技術文献】
【特許文献】
【０００６】
【特許文献１】実用新案登録第３０７７９７５号公報
【特許文献２】実用新案登録第３１６１５９２号公報
【特許文献３】実用新案登録第３１４７１８３号公報
【考案の概要】
【考案が解決しようとする課題】
【０００７】本考案は、最近新型コロナウイルス感染で外出せずに自宅で仕事を行いことが非常に多くなってきている。自宅、家庭では、自宅で仕事業務を行うようになり、自宅のリビングルームなどを占拠して、家庭内の部屋の利用に対して不和が起こる懸念も起こり、またテレワーク業務も雑音・不和行動で遂行が難しい場合が多い。この対策として自宅の、リビングルーム、ダイニングルームなどで部分的に隔離、仕切りして専属的に使用できる場所、空間を保持することである。また使用しない場合には簡単に折り畳んで別の場所に収納できるようにしていることが所望されている。また、その仕切り囲いの中でデスクを設置して、木材の香りとして人体に近くて、最も健康に、精神的に影響を与えると考えられる木材にて作製された移動、かたずけが容易な囲い仕切りの業務遂行が可能なパーティションの創出を課題とするものである。【０００８】リビングルーム、ダイニングルームなどにて使用して、かたずけが容易な囲い仕切りのパーティションにおいて、磁着材料を使用しているために、内部にデスクとか業務用具を保管する収納棚などが設置できるように、パーティションの表面に使用者に適応した位置に変更・設置できて、また自由に変更、模様替えできるようにしており、また内部の環境を長時間使用する場合にも、気分転換あるいは心地よい雰囲気にするために、内壁面に張替えできる装飾品、写真を着磁によって貼付できるようにしており、狭い囲い有する空間構造物に滞在するする場合に、精神的な状況を有する脳活性化、並びに精神安定化の機能性を持つ囲い体に使用すると日頃起こっている脳活性化、並びに精神安定化の問題点を解決するものであり、磁着できる囲い仕切りパーティションを構成して、デスクを持つ環境にてリラックス、脳の活性化と脳に効果を与えるテレワーク用簡易デスク付き囲い仕切りパーティションを提供することを目的とする。
【課題を解決するための手段】
【０００９】室内の一定の仕切り内で精神的安定感をもたらし、しかも専属的に業務を遂行できる一定の間仕切り空間を持つテレワーク用移動及び組立可能な囲い仕切りパーティションにおいて、仕切りパーティションは、表面に部分的、又は全面的に磁着できる化粧材を持つ長方体板材２〜８枚高さ方向に連結して、くの字状、及びコの字状、又は４〜８角形状から選ばれた囲い空間体にして、前記囲い空間体内部の壁面に、天板と磁着天板保持板と磁着天板支え具とからなるデスク部と、棚板と磁着棚板保持具とからなる棚部とを所望位置に磁着できるように、着磁化粧板になっているテレワーク用簡易デスク付き囲い仕切りパーティションである。【００１０】仕切りパーティションは、１０〜３０ｍｍ厚さ、４５０〜１２００ｍｍ幅、１４００〜１６００ｍｍ高さの着磁化粧板付き長方体板材であって、組立・解体、しかも移動を容易にできるように、前記長方体板材の高さ方向の両端にそれぞれ取り外し可能な丁番型接合具を１〜３箇所に、また前記長方体板材の幅方向の底部にキャスター１〜３個取り付けて、２〜８枚を丁番型接合具によって連結して、デスク部と棚部とを所望位置に変更できるような０．５〜１．５ｍ２のスペース面積を持つ移動可能な空間部のパーティション囲い仕切りになっている。【００１１】簡易棚・デスク付き囲い仕切りパーティションからなる着磁化粧板付き長方体板材の空間仕切りは、各仕切りパーティションの接合している丁番型接合具を外したり、折り畳みにして厚さ幅３００ｍｍ以下にして保管収納できるようにして、構成する着磁化粧板付き仕切りパーティションの１〜３枚の片面の５０〜１００％の表面積に、化粧材としてマグネット体を吸着させることができる表装材と、スチール箔と木板とを張った着磁化粧板であり、空間仕切りパーティションの内壁面部には、幅３５０〜４５０ｍｍ、長さ４５０〜１２００ｍｍの長方形状天板と、前記天板を支える２〜３個の幅２００〜３００ｍｍ、長さ４５０〜１２００ｍｍの磁着天板保持板、及び前記磁着性デスク保持板を支える幅２０〜５０ｍｍ、長さ３００〜５００ｍｍの４〜６個の磁着天板支え具とのデスク部を備え、デスク部の上部位置に幅３００〜４５０ｍｍ、長さ４５０〜１２００ｍｍの棚板と前記棚板を保持する磁着シートを持つ幅１００〜３００ｍｍ、長さ４５０〜１２００ｍｍの磁着棚板保持板と幅１００〜３００ｍｍ、長さ３００〜４５０ｍｍの２個の磁着棚板保持板との棚部を取り付けている。【００１２】前記着磁化粧板に使用される木質板材は、安定性を保持して軽量化のために、１０〜３０ｍｍ厚さのパーチクルボード、ＭＤＦ，フラッシュボードであって、前記表装材とスチール箔と木質板材とからなる着磁化粧板としてマグネット体を吸着させることができる２０〜３００μｍ厚さの突板、布、紙、又は樹脂フィルムの表装材と、２５〜３００μｍ厚さのスチール箔を張ったものでマグネットシート材料を磁着できる化粧板のサンドイッチ状３〜５層積層体であり、前記３〜５層積層体になった着磁化粧板の表面に描画されている。
【考案の効果】
【００１３】テレワークでの自宅業務遂行を行うようになり、自宅のリビングルームなどを占拠して、家庭内の部屋の利用に対して不和が起こる懸念も起こり、この対策として自宅の、リビングルーム、ダイニングルームなどで部分的に隔離、仕切りして専属的に使用できる場所を確保でき、組立や解体が容易であり、色々な場所に移動できるようにして、空間を仕切りして専属的に使用できる場所、空間を保持することである。また使用しない場合には簡単に折り畳んで別の場所に収納できるようになった。磁着材料を使用しているために、内部にデスクと業務用具を保管する収納棚などが設置できるように、パーティションの表面に使用者に適応した位置に変更・設置できて、また自由に変更できるようになった。
【図面の簡単な説明】
【００１４】
【図１】  テレワーク用簡易デスク付き囲い仕切り磁着パーティションの姿図と形状図を示す。Ａ：三枚のパーティション  Ｂ：四連結パーティション  Ｃ：五連結パーティション
【図２】  テレワーク用簡易デスク付き囲い仕切りパーティションの構成構造図を示す。Ａ：三枚パーティションとデスク組立構造  Ｂ：三枚パーティションとテスクと棚板と組立構造  Ｃ：四枚パーティションとテスクと棚板と組立構造
【図３】  テレワーク用簡易デスク付き囲い仕切りパーティションの  構成する部品に関する図を示す。Ａ：長方体板材（磁着性）  Ｂ：デスク（天板）と棚板  Ｃ：丁番接合具（取り外し可能）  Ｄ：磁着天板保持板と磁着天板支え具  Ｅ：磁着材  Ｆ：移動と固定具
【図４】  テレワーク用簡易デスク付き囲い仕切りパーティションを囲い部屋としてパソコン、ノートと写真、絵画、計画書、カレンダーなどを貼って利用した図を示す。
【考案を実施するための形態】
【００１５】以下、本考案を詳細に説明する。
本考案に係るテレワーク用簡易デスク付き囲い仕切りパーティションについて以下上記の図面に基づいて説明する。
【実施例１】
【００１６】図１Ａに示すように室内の一定の仕切り内で精神的安定感をもたらし、しかも専属的に業務を遂行できる一定の間仕切り空間を持つテレワーク用移動及び組立可能な囲い仕切りパーティションにおいて、仕切りパーティションは、表面に部分的、又は全面的に磁着できる化粧材を持つ長方体板材３枚高さ方向に連結して、コの字状の囲い空間体にして、前記囲い空間体内部の壁面にデスク用天板と磁着天板保持板と着磁支え具付きデスク部と、棚板と磁着棚板保持具とからなる棚部とを所望位置に着磁できるようになっているテレワーク用簡易デスク付き囲い仕切りパーティションにした。【００１７】仕切りパーティションは、１５ｍｍ厚さ、６００ｍｍ幅、１５００ｍｍ高さ２枚と１５ｍｍ厚さ、９００ｍｍ幅、１５００ｍｍ高さ１枚の計３枚長方体板材であって、取り外しできる丁番によって組立・解体、しかも底部にキャスターを取り付けて、部屋内の移動を容易にできるように、前記長方体板材の高さ方向の両端にそれぞれ取り外し可能な丁番型接合具を３箇所に、また前記長方体板材の幅方向の底部にキャスター２個取り付けて、内部に天板のデスクと棚板を取り付けたものであり、３枚の仕切りパーティションの仕切り空間を６個の丁番型接合具によって連結して、図２のＢのような状態の約０．５４ｍ２の面積である移動可能な空間部の囲い仕切りを設けた。【００１８】図２Ｂに示すような、簡易デスク付き囲い仕切りパーティションからなる空間仕切りは、各仕切りパーティションの接合している丁番型接合具を外したり、折り畳みにして厚さ幅３００ｍｍ以下にして折り畳んで保管収納できるようにして、構成する仕切りパーティションの３枚の片面の７５％の表面面積に、化粧材としてマグネット体を吸着させることができる表装材と、スチール箔を張った磁着シート材料を張ったものであり、図３に示すような部品群を組み立てて、仕切り空間体を形成した。空間仕切りパーティションの内壁面部には、幅４００ｍｍ、長さ９００ｍｍの長方形状天板と、前記天板を支える２個の幅３００ｍｍ、長さ４００ｍｍの磁着天板保持板、及び前記磁着性デスク保持板を支える幅５０ｍｍ、長さ５００ｍｍの４個の着磁支え具とのデスク部を備え、デスク部の上部に幅４５０ｍｍ、長さ９００ｍｍの棚板と前記棚板を保持する磁着シートを持つ幅３００ｍｍ、長さ６００ｍｍの磁着棚板保持板と幅１００ｍｍ、長さ４５０ｍｍの２個の磁着棚板保持板との棚部を取り付けた。【００１９】前記化粧板に使用される木質板材は、安定性を保持して軽量化のために、１５ｍｍ厚さのＭＤＦであって、前記表装材とスチール箔とからなる化粧材としてマグネット体を吸着させることができる１００μｍ厚さの樹脂フィルムの表装材と、２００μｍ厚さのスチール箔を張ったマグネットシート材料を張った化粧板のサンドイッチ状五層積層体を前記木質板材への接着性を向上させて、前記五層積層体になった厚板材の化粧板表面に描画された。囲い仕切りパーティションとしては、図４Ｃに示すようなパーティション空間のデスクになった。
【実施例２】
【００２０】図１Ｂに示すように、室内の一定の仕切り内で精神的安定感をもたらし、しかも専属的に業務を遂行できる一定の間仕切り空間を持つテレワーク用移動及び組立可能な囲い仕切りパーティションにおいて、仕切りパーティションは、表面に部分的、又は全面的に磁着できる化粧材を持つ長方体板材４枚高さ方向に連結して、又は４角形状の囲い空間体にして、前記囲い空間体内部の壁面に天板と磁着天板保持板と着磁支え具付きデスク部と、棚板と磁着棚板保持具とからなる棚部とを所望位置に着磁できるようになっているテレワーク用簡易デスク付き囲い仕切りパーティションにした。【００２１】図２Ｃに示すように仕切りパーティションは、２０ｍｍ厚さ、９００ｍｍ幅、１５００ｍｍ高さの長方体板材であって、組立・解体、しかも移動を容易にできるように、前記長方体板材の高さ方向の両端にそれぞれ取り外し可能な丁番型接合具を２箇所に、また前記長方体板材の幅方向の底部にキャスター２個取り付けて、４枚を９個丁番型接合具によって連結して、０．８１ｍ２の面積である移動可能な空間部の囲い仕切りを設けた。【００２２】簡易デスク付き囲い仕切りパーティションからなる空間仕切りは、各仕切りパーティションの接合している丁番型接合具を外したり、折り畳みにして幅２００ｍｍ以下にして保管収納できるようにして、構成する仕切りパーティションの４枚の片面の１００％の表面面積に、化粧材としてマグネット体を吸着させることができる表装材と、スチール箔を張った磁着シート材料を張ったものであり、図３の部品を使用にて、空間仕切りパーティションの内壁面部には、幅４５０ｍｍ、長さ９０００ｍｍの長方形状天板と、前記天板を支える２個の幅３００ｍｍ、長さ９００ｍｍの磁着天板保持板、及び前記磁着性デスク保持板を支える幅２５ｍｍ、長さ５００ｍｍの４個の着磁支え具とのデスク部を備え、デスク部の上部に幅３００ｍｍ、長さ９００ｍｍの棚板と前記棚板を保持する磁着シートを持つ幅２００ｍｍ、長さ７００ｍｍの磁着棚板保持板と幅１００ｍｍ、長さ７５０ｍｍの２個の磁着棚板保持板との棚部を取り付けた。【００２３】前記化粧板に使用される木質板材は、安定性を保持して軽量化のために、１０〜３０ｍｍ厚さのＭＤＦであって、前記表装材とスチール箔とからなる化粧材としてマグネット体を吸着させることができる１００μｍ厚さの紙フィルムの表装材と、３００μｍ厚さのスチール箔を張ったマグネットシート材料を張った化粧板のサンドイッチ状層積層体を前記木質板材への接着性を向上させて、前記五層積層体になった厚板材の化粧板表面に描画された。図４Ｂの状態で使用した。
【実施例３】
【００２４】実施例１と同様に、図１Ｃに示すように、室内の一定の仕切り内で精神的安定感をもたらし、しかも専属的に業務を遂行できる一定の間仕切り空間を持つテレワーク用移動及び組立可能な囲い仕切りパーティションにおいて、仕切りパーティションは、表面に部分的に磁着できる化粧材を持つ長方体板材３枚高さ方向に連結して、コの字状の囲い空間体にして、内部の一面に磁着可能なデスクと磁着可能なコの字箱型の箱棚をマグネットシートで所望位置に磁着できるようになっているテレワーク用簡易デスク付き囲い仕切りパーティションである。【００２５】仕切りパーティションは、１５ｍｍ厚さ、４５０ｍｍ幅、１４００ｍｍ高さの５枚の長方体板材であって、前記長方体板材の高さ方向の両端にそれぞれ取り外し可能な丁番型接合具を２箇所に、また前記長方体板材の幅方向の底部にキャスター２個取り付けて、２枚を丁番型接合具によって連結して、約０．８ｍ２の面積である移動可能な空間部の囲い仕切りを設けている。【００２６】簡易デスク付き囲い仕切りパーティションからなる空間仕切りは、各仕切りパーティションの接合している丁番型接合具を外したり、折り畳みにして幅２４０ｍｍ以下にして保管収納できるようにして、構成する仕切りパーティションの５枚の片面、表面の１００％の表面面積に、７枚の表面の化粧材としてマグネット体を吸着させることができる表装材と、スチール箔を張った磁着シート材料を張ったものであり、空間仕切りパーティションの内面部には幅３００ｍｍ、長さ４５０ｍｍの天板と磁着シートを持つ幅２００ｍｍ、長さ４５０ｍｍの磁着板のＬ字型デスクと、幅３００ｍｍ、長さ４５０ｍｍの天板と磁着シートを持つ幅２００ｍｍ、奥行き２００ｍｍ、長さ４５０ｍｍのコ字箱体の裏面に磁着板を付けた箱棚と、を磁着保持できるようにした。【００２７】図３の部品を使用して組み立てた空間部として、前記化粧板に使用される木質板材は、パーチクルボードであって、前記表装材とスチール箔とからなる化粧材としてマグネット体を吸着させることができる５０μｍ厚さの表装材と、３００μｍ厚さのスチール箔を張った磁着性マグネットシート材料を張った化粧板のサンドイッチ状積層体を前記木質板材への接着性を向上させて、前記積層体になった厚板材の化粧板表面に描画された。図４Ｂのような状態で使用した。
【符号の説明】
【００２８】ア：姿図  （正面）
イ：形状図（平面）
ウ：折り畳み収納時
１．囲い仕切りパーティション
２．長方体板材（磁着性）
３．丁番接合具（取り外し可能）
４．化粧板
５．磁着シート（マグネットシート）
６．デスク
７．棚
８．天板
９．磁着天板保持板
１０．磁着天板支え具
１１．キャスター
１２．表装材
１３．囲い空間（仕切り区間）
１４．木質材
１５．棚板
１６．磁着板
１７．パソコン
１８．箱
１９．書籍
２０．計画書など
２１．  写真など
【図１】
0003233646.tif 000003
【図２】
0003233646.tif 000004
【図３】
0003233646.tif 000005
【図４】
0003233646.tif 000006